(57)【要約】【課題】マクロセル内に多数のホームセルが存在している場合で、報知情報内の周辺セル情報に当該多数のホームセルが含まれていない場合であっても、ホームセルにおける待ち受けを行う。【解決手段】本発明に係る移動通信方法は、マクロセルにおいて待ち受け中の移動局ＵＥ＃１が、所定トリガを検出した場合に、無線アクセスネットワーク装置１０との間でコネクションを確立する工程Ａと、無線アクセスネットワーク装置１０が、移動局ＵＥ＃１に対して、コネクションを介して、移動局ＵＥ＃１に対してアクセス権が付与されているホームセル＃ａ１を通知する工程Ｂと、移動局ＵＥ＃１が、通知されたホームセルに＃ａ１おける報知情報の受信品質を測定する工程Ｃとを有する。【選択図】図６
2010028249.tif 000002
【特許請求の範囲】
【請求項１】
マクロセルにおいて待ち受け中の移動局が、所定トリガを検出した場合に、無線アクセスネットワーク装置との間で前記マクロセルを介してコネクションを確立する工程Ａと、
前記無線アクセスネットワーク装置が、前記移動局に対して、前記コネクションを介して、該移動局に対してアクセス権が付与されているホームセルを通知する工程Ｂと、
前記移動局が、通知された前記ホームセルにおける報知情報の受信品質を測定する工程Ｃとを有することを特徴とする移動通信方法。
【請求項２】
前記工程Ａにおいて、前記移動局は、所定情報を含むコネクション設定要求を送信することによって、前記コネクションを確立し、
前記工程Ｂにおいて、前記無線アクセスネットワーク装置は、前記コネクション設定要求に応じて、前記移動局に対して、前記コネクションを介して、前記ホームセルを通知することを特徴とする請求項１に記載の移動通信方法。
【請求項３】
前記工程Ｂにおいて、前記無線アクセスネットワーク装置は、前記移動局に対して、前記ホームセルを含む測定制御情報を送信し、
前記工程Ｃにおいて、前記移動局は、前記測定制御情報に基づいて、前記ホームセルにおける報知情報の受信品質を測定し、
前記移動局が、前記無線アクセスネットワーク装置に対して、前記測定結果を通知する工程Ｄと、
前記無線アクセスネットワーク装置が、前記測定結果に応じて、前記移動局に対して、待ち受けセル変更指示及びコネクション切断指示を送信する工程Ｅと、
前記移動局が、待ち受けセル変更指示及びコネクション切断指示に応じて、前記コネクションを切断し、前記ホームセルにおける待ち受けを開始する工程Ｆとを更に有することを特徴とする請求項１に記載の移動通信方法。
【請求項４】
前記工程Ｂにおいて、前記移動局は、ユーザによる所定操作に応じて、前記所定情報を含むコネクション設定要求を送信することを特徴とする請求項２に記載の移動通信方法。
【請求項５】
前記工程Ｂにおいて、前記移動局は、マクロセルに対する位置登録処理を行う際に、前記所定情報を含むコネクション設定要求を自律的に送信することを特徴とする請求項２に記載の移動通信方法。
【請求項６】
前記工程Ｆにおいて、前記移動局は、前記ホームセルにおける待ち受けを開始した後は、所定期間経過後、或いは、ユーザによる所定操作が行われた後でなければ、該ホームセル以外のセルにおける報知情報の受信品質を測定しないことを特徴とする請求項３に記載の移動通信方法。
【請求項７】
マクロセルにおいて待ち受け中に、所定トリガを検出した場合、無線アクセスネットワーク装置に対して、所定情報を含むコネクション設定要求を送信することによって、該無線アクセスネットワーク装置との間でコネクションを確立するように構成されているコネクション設定処理部と、
前記無線アクセスネットワーク装置から受信した測定制御情報に含まれるホームセルにおける報知情報の受信品質を測定し、該無線アクセスネットワーク装置に対して該測定結果を通知するように構成されている測定部と、
前記無線アクセスネットワーク装置から受信した待ち受けセル変更指示及びコネクション切断指示に応じて、前記コネクションが切断された際に、前記ホームセルにおける待ち受けを開始するように構成されている待ち受け処理部とを具備することを特徴とする移動局。
【請求項８】
前記コネクション設定処理部は、ユーザによる所定操作に応じて、前記所定情報を含むコネクション設定要求を送信するように構成されていることを特徴とする請求項７に記載の移動局。
【請求項９】
前記コネクション設定処理部は、マクロセルに対する位置登録処理を行う際に、前記所定情報を含むコネクション設定要求を送信するように構成されていることを特徴とする請求項７に記載の移動局。
【請求項１０】
移動局から受信した所定情報を含むコネクション設定要求に応じて、該移動局との間でコネクションを確立するように構成されているコネクション設定処理部と、
前記移動局に対して、前記コネクションを介して、該移動局に対してアクセス権が付与されているホームセルを含む測定制御情報を送信するように構成されている測定制御部とを具備し、
前記コネクション設定処理部は、前記移動局から、前記ホームセルにおける報知情報の受信品質を含む測定結果を受信した場合に、該移動局に対して、前記コネクションを切断して該ホームセルにおける待ち受けを開始するように指示する待ち受けセル変更指示及びコネクション切断指示を送信するように構成されていることを特徴とする無線アクセスネットワーク装置。
【発明の詳細な説明】
【技術分野】
【０００１】
本発明は、移動通信方法、移動局及び無線アクセスネットワーク装置に関する。
【背景技術】
【０００２】
一般的な移動通信システムでは、移動局は、受信した報知情報の受信品質に基づいて最適な無線品質のセルを選択して、当該セルにおける位置登録処理（アタッチ処理）を行うように構成されている。
【特許文献１】特開２００４-１８７１０４号公報
【発明の開示】
【発明が解決しようとする課題】
【０００３】
しかしながら、例えば、屋外のマクロセル用無線基地局の直下に、ホームセル用無線基地局が配置されている場合、移動局は、自律で優先的に無線品質の良いマクロセルでの待ち受けを行うため、なかなかホームセルにおいて待ち受けを行うことができないという問題点があった。
【０００４】
例えば、マクロセルの報知情報内の周辺セル情報にホームセルを含め、かつ、当該ホームセルに係るオフセット値Ｑｏｆｆｓｅｔを調整することで、当該ホームセルにおいて待ち受けを行い易くすることができるが、かかる場合、当該ホームセルに対してアクセス権を有していない移動局についても、当該ホームセルに誘導してしまうという問題点があった。
【０００５】
さらに、マクロセル内に多数のホームセルが存在している場合、当該多数のホームセルを報知情報内の周辺セル情報に含めることで信号が冗長になり、移動局において冗長な測定を行うことによる消費電力低下等の懸念が生じるという問題点があった。
【０００６】
そこで、本発明は、上述の課題に鑑みてなされたものであり、マクロセル内にホームセルが存在している場合で、報知情報内の周辺セル情報に当該ホームセルが含まれていない場合、或いは、移動局による通常の報知情報検索手段ではホームセルを検索できない場合であっても、ホームセルにおける待ち受けを行うことができる移動通信方法、移動局及び無線アクセスネットワーク装置を提供することを目的とする。
【課題を解決するための手段】
【０００７】
本発明の第１の特徴は、移動通信方法であって、マクロセルにおいて待ち受け中の移動局が、所定トリガを検出した場合に、無線アクセスネットワーク装置との間でコネクションを確立する工程Ａと、前記無線アクセスネットワーク装置が、前記移動局に対して、前記コネクションを介して、該移動局に対してアクセス権が付与されているホームセルを通知する工程Ｂと、前記移動局が、通知された前記ホームセルにおける報知情報の受信品質を測定する工程Ｃとを有することを要旨とする。
【０００８】
本発明の第２の特徴は、移動局であって、マクロセルにおいて待ち受け中に、所定トリガを検出した場合、無線アクセスネットワーク装置に対して、所定情報を含むコネクション設定要求を送信することによって、該無線アクセスネットワーク装置との間でコネクションを確立するように構成されているコネクション設定処理部と、前記無線アクセスネットワーク装置から受信した測定制御情報に含まれるホームセルにおける報知情報の受信品質を測定し、該無線アクセスネットワーク装置に対して該測定結果を通知するように構成されている測定部と、前記無線アクセスネットワーク装置から受信した待ち受けセル変更指示及びコネクション切断指示に応じて、前記コネクションが切断された際に、前記ホームセルにおける待ち受けを開始するように構成されている待ち受け処理部とを具備することを要旨とする。
【０００９】
本発明の第３の特徴は、無線アクセスネットワーク装置であって、移動局から受信した所定情報を含むコネクション設定要求に応じて、該移動局との間でコネクションを確立するように構成されているコネクション設定処理部と、前記移動局に対して、前記コネクションを介して、該移動局に対してアクセス権が付与されているホームセルを含む測定制御情報を送信するように構成されている測定制御部とを具備し、前記コネクション設定処理部は、前記移動局から、前記ホームセルにおける報知情報の受信品質を含む測定結果を受信した場合に、該移動局に対して、前記コネクションを切断して該ホームセルにおける待ち受けを開始するように指示する待ち受けセル変更指示及びコネクション切断指示を送信するように構成されていることを要旨とする。
【発明の効果】
【００１０】
以上説明したように、本発明によれば、マクロセル内にホームセルが存在している場合で、報知情報内の周辺セル情報に当該ホームセルが含まれていない場合、或いは、移動局による通常の報知情報検索手段ではホームセルを検索できない場合であっても、ホームセルにおける待ち受けを行うことができる移動通信方法、移動局及び無線アクセスネットワーク装置を提供することができる。
【発明を実施するための最良の形態】
【００１１】
（本発明の第１の実施形態に係る移動通信システムの構成）
図１乃至図５を参照して、本発明の第１の実施形態に係る移動通信システムの構成について説明する。
【００１２】
図１に示すように、本実施形態に係る移動通信システムは、コアネットワーク装置２０と、無線アクセスネットワーク装置１０と、マクロセル＃Ａを管理するマクロセル用無線基地局＃Ａと、ホームセル＃ａ１を管理するマクロセル用無線基地局＃ａ１と、ホームセル＃ａ２を管理するホームセル用無線基地局＃ａ２とを具備している。
【００１３】
図２に示すように、移動局ＵＥ＃１は、トリガ検出部１１と、位置登録処理部１２と、待ち受け処理部１３と、ＲＲＣコネクション設定処理部１４と、測定部１５とを具備している。
【００１４】
トリガ検出部１１は、所定トリガを検出するように構成されている。例えば、トリガ検出部１１は、所定トリガとして、ユーザによる所定操作（電源ＯＮや、所定ボタン押下等）や、移動局ＵＥ＃１がマクロセル＃Ａに対する位置登録処理（アタッチ処理）を行うこと等を検出するように構成されている。
【００１５】
位置登録処理部１２は、待ち受けセルを含む位置登録エリアに対して位置登録処理（アタッチ処理）を行うように構成されている。例えば、位置登録処理部１２は、移動局ＵＥ＃１の待ち受けセルが「マクロセル＃Ａ」と「ホームセル＃ａ１」との間で切り替わった場合に、位置登録処理を行うように構成されている。
【００１６】
待ち受け処理部１３は、所定条件を満たすセルにおいて待ち受け処理を行うように構成されている。例えば、待ち受け処理部１３は、無線アクセスネットワーク装置１０から受信した待ち受けセル変更指示及びコネクション切断指示（ＲＲＣ  Ｃｏｎｎｅｃｔｉｏｎ  Ｒｅｌｅａｓｅ/Ｒｅｊｅｃｔ）に応じて、ＲＲＣコネクションが切断された際に、当該待ち受けセル変更指示及びコネクション切断指示によって指定されているホームセル＃ａ１における待ち受けを開始するように構成されている。
【００１７】
ここで、当該待ち受けセル変更指示及びコネクション切断指示によって待ち受けセルとして指定されているホームセル＃ａ１は、移動局ＵＥ＃１に対してアクセス権が付与されているホームセルである。
【００１８】
ＲＲＣコネクション設定処理部１４は、無線アクセスネットワーク装置１０との間で、ＲＲＣコネクションを設定するように構成されている。
【００１９】
具体的には、ＲＲＣコネクション設定処理部１４は、移動局ＵＥ＃１が、マクロセル＃Ａにおいて待ち受け中に、トリガ検出部１１によって所定トリガが検出された場合、無線アクセスネットワーク装置１０に対して、所定情報を含むコネクション設定要求（ＲＲＣ  Ｃｏｎｎｅｃｔｉｏｎ  Ｒｅｑｕｅｓｔ）を送信することによって、無線アクセスネットワーク装置１０との間でＲＲＣコネクションを確立するように構成されている。
【００２０】
ここで、所定情報は、コネクション設定要求（ＲＲＣ  Ｃｏｎｎｅｃｔｉｏｎ  Ｒｅｑｕｅｓｔ）に含まれる情報要素であり、例えば、「Ｃａｕｓｅ：ｈｏｍｅ  ｃｅｌｌ  ｃｈａｎｇｅ」等の情報要素であるものとする。
【００２１】
なお、ＲＲＣコネクション設定処理部１４は、無線アクセスネットワーク装置１０に対して、コネクション設定要求（ＲＲＣ  Ｃｏｎｎｅｃｔｉｏｎ  Ｒｅｑｕｅｓｔ）によって所定情報を通知する代わりに、位置登録処理部１２が、位置登録要求（Ｉｎｉｔｉａｌ  Ｄｉｒｅｃｔ  Ｔｒａｎｓｆｅｒ）によって所定情報を通知してもよい。
【００２２】
また、ＲＲＣコネクション設定処理部１４は、無線アクセスネットワーク装置１０から受信したコネクション切断指示（ＲＲＣ  Ｃｏｎｎｅｃｔｉｏｎ  Ｒｅｌｅａｓｅ）に応じて、ＲＲＣコネクションを切断するように構成されている。
【００２３】
測定部１５は、無線アクセスネットワーク装置１０から受信した測定制御情報（Ｍｅａｓｕｒｅｍｅｎｔ  Ｃｏｎｔｒｏｌ）に含まれるホームセル＃ａ１における報知情報の受信品質を測定し、無線アクセスネットワーク装置１０に対して測定結果を通知するように構成されている。
【００２４】
なお、測定部１５は、ホームセル＃ａ１における待ち受けを開始した後は、所定期間経過後、或いは、ユーザによる所定操作が行われた後でなければ、ホームセル＃ａ１以外のセルにおける報知情報の受信品質を測定しないように構成されていてもよい。
【００２５】
図３に示すように、無線アクセスネットワーク装置１０は、ＲＲＣコネクション設定処理部２１と、測定制御部２２とを具備している。例えば、無線アクセスネットワーク装置１０は、無線回線制御局ＲＮＣや無線基地局収容装置等の無線制御装置によって構成されている。
【００２６】
ＲＲＣコネクション設定処理部２１は、移動局ＵＥ＃１によって送信されたコネクション設定要求（ＲＲＣ  Ｃｏｎｎｅｃｔｉｏｎ  Ｒｅｑｕｅｓｔ）に応じて、当該移動局ＵＥ＃１との間で、ＲＲＣコネクションを確立するように構成されている。
【００２７】
また、ＲＲＣコネクション設定処理部２１は、移動局ＵＥ＃１から、ホームセル＃ａ１における報知情報の受信品質を含む測定結果（Ｍｅａｓｕｒｅｍｅｎｔ  Ｒｅｐｏｒｔ）を受信した場合に、移動局ＵＥ＃１に対して、ＲＲＣコネクションを切断して当該ホームセル＃ａ１における待ち受けを開始するように指示する待ち受けセル変更指示及びコネクション切断指示（ＲＲＣ  Ｃｏｎｎｅｃｔｉｏｎ  Ｒｅｌｅａｓｅ）を送信するように構成されている。
【００２８】
測定制御部２２は、移動局ＵＥ＃１に対して、ＲＲＣコネクションを介して、移動局ＵＥ＃１に対してアクセス権が付与されているホームセル＃ａ１を含む測定制御情報（Ｍｅａｓｕｒｅｍｅｎｔ  Ｃｏｎｔｒｏｌ）を送信するように構成されている。
【００２９】
例えば、測定制御部２２は、所定情報を含むコネクション設定要求（ＲＲＣ  Ｃｏｎｎｅｃｔｉｏｎ  Ｒｅｑｕｅｓｔ）や、所定情報を含む位置登録要求（Ｉｎｉｔｉａｌ  Ｄｉｒｅｃｔ  Ｔｒａｎｓｆｅｒ）を受信した際に、コアネットワーク装置２０から、移動局ＵＥ＃１に対してアクセス権が付与されているホームセル＃ａ１に係る情報を取得し、取得したホームセル＃ａ１を含む測定制御情報（Ｍｅａｓｕｒｅｍｅｎｔ  Ｃｏｎｔｒｏｌ）を送信するように構成されている。
【００３０】
ここで、無線アクセスネットワーク装置１０は、移動局ＵＥ＃１に対して、測定制御情報（Ｍｅａｓｕｒｅｍｅｎｔ  Ｃｏｎｔｒｏｌ）以外の方法で、ＲＲＣコネクションを介して、移動局ＵＥ＃１に対してアクセス権が付与されているホームセル＃ａ１を通知するように構成されていてもよい。
【００３１】
図４に示すように、コアネットワーク装置２０は、アクセス情報管理部３１と、位置登録処理部３２とを具備している。例えば、コアネットワーク装置２０は、交換機ＳＧＳＮ等によって構成されている。
【００３２】
アクセス情報管理部３１は、各移動局ＵＥに対してアクセス権が付与されているホームセル（ホームセル用無線基地局）について管理するように構成されている。例えば、図５に示すように、アクセス情報管理部３１は、各移動局の識別情報である「移動局ＩＤ」と、当該移動局に対してアクセス権が付与されているホームセルの識別情報である「アクセス許可ホームセルＩＤ」とを関連付けて記憶するように構成されている。
【００３３】
ここで、各移動局ＵＥに対してアクセス権が付与されているホームセル（ホームセル用無線基地局）について、コアネットワーク装置２０ではなく、無線アクセスネットワーク１０において管理されていてもよい。
【００３４】
（本発明の第１の実施形態に係る移動通信システムの動作）
図６及び図７を参照して、本発明の第１の実施形態に係る移動通信システムの動作について説明する。
【００３５】
第１に、図６を参照して、本実施形態に係る移動通信システムにおいて、ホームセルにおける待ち受けの開始に成功する場合の動作について説明する。
【００３６】
図６に示すように、移動局ＵＥ＃１は、ステップＳ１０００において、マクロセル＃Ａにおいて待ち受け中に、所定トリガを検知すると、ステップＳ１００１において、無線アクセスネットワーク装置１０に対して、「Ｃａｕｓｅ：ｈｏｍｅ  ｃｅｌｌ  ｃｈａｎｇｅ」という情報要素を含む「ＲＲＣ  Ｃｏｎｎｅｃｔｉｏｎ  Ｒｅｑｕｅｓｔ」を送信する。
【００３７】
ステップＳ１００２において、無線アクセスネットワーク装置１０は、受信した「ＲＲＣ  Ｃｏｎｎｅｃｔｉｏｎ  Ｒｅｑｕｅｓｔ」に応じて、移動局ＵＥ＃１に対して、「ＲＲＣ  Ｃｏｎｎｅｃｔｉｏｎ  Ｓｅｔｕｐ」を送信する。
【００３８】
ステップＳ１００３において、移動局ＵＥ＃１は、受信した「ＲＲＣ  Ｃｏｎｎｅｃｔｉｏｎ  Ｓｅｔｕｐ」に応じて、無線アクセスネットワーク装置１０に対して、「ＲＲＣ  Ｃｏｎｎｅｃｔｉｏｎ  Ｓｅｔｕｐ  Ｃｏｍｐｌｅｔｅ」を送信する。ここで、移動局ＵＥと無線アクセスネットワーク装置１０との間で、ＲＲＣコネクションが確立される。
【００３９】
その後、ステップＳ１００４において、移動局ＵＥ＃１は、確立されたＲＲＣコネクションを介して、コアネットワーク装置２０に対して、「Ｉｎｉｔｉａｌ  Ｄｉｒｅｃｔ  Ｔｒａｎｓｆｅｒ」を送信する。
【００４０】
コアネットワーク装置２０は、「Ｉｎｉｔｉａｌ  Ｄｉｒｅｃｔ  Ｔｒａｎｓｆｅｒ」に応じて、ステップＳ１００５において、移動局ＵＥ＃１に対して、「Ｄｏｗｎｌｉｎｋ  Ｄｉｒｅｃｔ  Ｔｒａｎｓｆｅｒ」を送信し、ステップＳ１００６において、移動局ＵＥ＃１に対してアクセス権が付与されているホームセル＃ａ１を検索し、検索したホームセル＃ａ１を「Ｌｏｃａｔｉｏｎ  Ｒｅｐｏｒｔｉｎｇ  Ｃｏｎｔｒｏｌ」によって無線アクセスネットワーク装置１０に対して通知する。
【００４１】
ステップＳ１００７において、無線アクセスネットワーク装置１０は、コアネットワーク装置２０によって通知されたホームセル＃ａ１を含む「Ｍｅａｓｕｒｅｍｅｎｔ  Ｃｏｎｔｒｏｌ」を、移動局ＵＥ＃１に対して送信する。
【００４２】
ここで、無線アクセスネットワーク１０が、各移動局ＵＥに対してアクセス権が付与されているホームセルについて管理している場合、コアネットワーク装置２０によって通知されたホームセル＃ａ１の代わりに、自身が管理している移動局ＵＥ＃１に対してアクセス権が付与されているホームセル＃ａ１を含む「Ｍｅａｓｕｒｅｍｅｎｔ  Ｃｏｎｔｒｏｌ」を、移動局ＵＥ＃１に対して送信する。
【００４３】
ステップＳ１００８において、移動局ＵＥ＃１は、「Ｍｅａｓｕｒｅｍｅｎｔ  Ｃｏｎｔｒｏｌ」に含まれるホームセル＃ａ１における報知情報の受信品質を測定し、かかる測定結果（ホームセル＃ａ１を検知したこと）を含む「Ｍｅａｓｕｒｅｍｅｎｔ  Ｒｅｐｏｒｔ」を、無線アクセスネットワーク装置１０に対して送信する。
【００４４】
ステップＳ１００９において、無線アクセスネットワーク装置１０は、当該「Ｍｅａｓｕｒｅｍｅｎｔ  Ｒｅｐｏｒｔ」を受信した場合、コアネットワーク装置２０に対して「Ｌｏｃａｔｉｏｎ  Ｒｅｐｏｒｔ」を送信する。
【００４５】
ステップＳ１０１０において、コアネットワーク装置２０は、「Ｌｏｃａｔｉｏｎ  Ｒｅｐｏｒｔ」を受信した場合、無線アクセスネットワーク装置１０に対して、「Ｉｕ  Ｒｅｌｅａｓｅ  Ｃｏｍｍａｎｄ」を送信する。
【００４６】
ステップＳ１０１１において、無線アクセスネットワーク装置１０は、「Ｉｕ  Ｒｅｌｅａｓｅ  Ｃｏｍｍａｎｄ」を受信した場合、移動局ＵＥ＃１に対して、「ＲＲＣ  Ｃｏｎｎｅｃｔｉｏｎ  Ｒｅｌｅａｓｅ」を送信する。
【００４７】
ステップＳ１０１２において、移動局ＵＥ＃１は、受信した「ＲＲＣ  Ｃｏｎｎｅｃｔｉｏｎ  Ｒｅｌｅａｓｅ」に応じて、無線アクセスネットワーク装置１０に対して、「ＲＲＣ  Ｃｏｎｎｅｃｔｉｏｎ  Ｒｅｌｅａｓｅ  Ｃｏｍｐｌｅｔｅ」を送信する。
【００４８】
ステップＳ１０１３において、無線アクセスネットワーク装置１０は、受信した「ＲＲＣ  Ｃｏｎｎｅｃｔｉｏｎ  Ｒｅｌｅａｓｅ  Ｃｏｍｐｌｅｔｅ」に応じて、コアネットワーク装置２０に対して、「Ｉｕ  Ｒｅｌｅａｓｅ  Ｃｏｍｐｌｅｔｅ」を送信する。
【００４９】
その後、ステップＳ１０１４において、移動局ＵＥ＃１は、ホームセル＃ａ１における待ち受け処理を開始し、ホームセル＃ａ１を含む位置登録エリアに対する位置登録処理を行う。
【００５０】
第２に、図７を参照して、本実施形態に係る移動通信システムにおいて、ホームセルにおける待ち受けの開始に失敗する場合の動作について説明する。
【００５１】
図７に示すように、ステップＳ１００１乃至Ｓ１００７の動作は、図６に示すものと同一である。
【００５２】
コアネットワーク装置２０は、ステップＳ２００１において、「Ｌｏｃａｔｉｏｎ  Ｒｅｐｏｒｔｉｎｇ  Ｃｏｎｔｒｏｌ」を送信してから所定期間内に、「Ｌｏｃａｔｉｏｎ  Ｒｅｐｏｒｔ」を受信していない、或いは、ホームセル検索失敗を意味する「Ｌｏｃａｔｉｏｎ  Ｒｅｐｏｒｔ」を受信したことを検知したため、ステップＳ２００２において、無線アクセスネットワーク装置１０に対して、「Ｉｕ  Ｒｅｌｅａｓｅ  Ｃｏｍｍａｎｄ」を送信する。
【００５３】
ステップＳ２００３において、無線アクセスネットワーク装置１０は、「Ｉｕ  Ｒｅｌｅａｓｅ  Ｃｏｍｍａｎｄ」を受信した場合、移動局ＵＥ＃１に対して、「ＲＲＣ  Ｃｏｎｎｅｃｔｉｏｎ  Ｒｅｌｅａｓｅ」を送信する。
【００５４】
ステップＳ２００４において、移動局ＵＥ＃１は、受信した「ＲＲＣ  Ｃｏｎｎｅｃｔｉｏｎ  Ｒｅｌｅａｓｅ」に応じて、無線アクセスネットワーク装置１０に対して、「ＲＲＣ  Ｃｏｎｎｅｃｔｉｏｎ  Ｒｅｌｅａｓｅ  Ｃｏｍｐｌｅｔｅ」を送信する。
【００５５】
ステップＳ２００５において、無線アクセスネットワーク装置１０は、受信した「ＲＲＣ  Ｃｏｎｎｅｃｔｉｏｎ  Ｒｅｌｅａｓｅ  Ｃｏｍｐｌｅｔｅ」に応じて、コアネットワーク装置２０に対して、「Ｉｕ  Ｒｅｌｅａｓｅ  Ｃｏｍｐｌｅｔｅ」を送信する。
【００５６】
かかる場合、移動局ＵＥ＃１は、待ち受けセルを「マクロセル＃Ａ」から変更しないため、位置登録処理も行わない。
【００５７】
以上に述べた本実施形態の特徴は、以下のように表現されていてもよい。
【００５８】
本実施形態の第１の特徴は、移動通信方法であって、マクロセル＃Ａにおいて待ち受け中の移動局ＵＥ＃１が、所定トリガを検出した場合に、無線アクセスネットワーク装置１０との間でコネクション（ＲＲＣコネクション）を確立する工程Ａ（ステップＳ１００１乃至Ｓ１００３）と、無線アクセスネットワーク装置１０が、移動局ＵＥ＃１に対して、コネクションを介して、移動局ＵＥ＃１に対してアクセス権が付与されているホームセル＃ａ１を通知する工程Ｂ（ステップＳ１００７）と、移動局ＵＥ＃１が、通知されたホームセル＃ａ１における報知情報の受信品質を測定する工程Ｃ（ステップＳ１００８）とを有することを要旨とする。
【００５９】
本実施形態の第１の特徴において、工程Ａにおいて、移動局は、所定情報（Ｃａｕｓｅ：ｈｏｍｅ  ｃｅｌｌ  ｃｈａｎｇｅ）を含むコネクション設定要求（ＲＲＣ  Ｃｏｎｎｅｃｔｉｏｎ  Ｒｅｑｕｅｓｔ）を送信することによって、コネクションを確立し、工程Ｂにおいて、無線アクセスネットワーク装置１０は、コネクション設定要求に応じて、移動局ＵＥ＃１に対して、コネクションを介して、ホームセル＃ａ１を通知してもよい。
【００６０】
本実施形態の第１の特徴において、工程Ｂにおいて、無線アクセスネットワーク装置１０は、移動局ＵＥ＃１に対して、ホームセル＃ａ１を含む測定制御情報（Ｍｅａｓｕｒｅｍｅｎｔ  Ｃｏｎｔｒｏｌ）を送信し、工程Ｃにおいて、移動局ＵＥは、測定制御情報に基づいて、ホームセル＃ａ１における報知情報の受信品質を測定し、移動局ＵＥ＃１が、無線アクセスネットワーク装置１０に対して、測定結果（Ｍｅａｓｕｒｅｍｅｎｔ  Ｒｅｐｏｒｔ）を通知する工程Ｄ（ステップＳ１００８）と、無線アクセスネットワーク装置１０が、測定結果に応じて、移動局ＵＥ＃１に対して、コネクションを切断するように指示する待ち受けセル変更指示及びコネクション切断指示（ＲＲＣ  Ｃｏｎｎｅｃｔｉｏｎ  Ｒｅｌｅａｓｅ）を送信する工程Ｅ（ステップＳ１０１１）と、移動局ＵＥが、待ち受けセル変更指示及びコネクション切断指示に応じて、コネクションを切断し、ホームセル＃ａ１における待ち受けを開始する工程Ｆとを更に有してもよい。
【００６１】
本実施形態の第１の特徴において、工程Ｂにおいて、移動局ＵＥ＃１は、ユーザによる所定操作に応じて、所定情報を含むコネクション設定要求を送信してもよい。
【００６２】
本実施形態の第１の特徴において、工程Ｂにおいて、移動局ＵＥ＃１は、マクロセル＃Ａに対する位置登録処理を行う際に、所定情報を含むコネクション設定要求を送信してもよい。
【００６３】
本実施形態の第１の特徴において、工程Ｆにおいて、移動局ＵＥ＃１は、ホームセル＃ａ１における待ち受けを開始した後は、所定期間経過後、或いは、ユーザによる所定操作が行われた後でなければ、ホームセル＃ａ１以外のセルにおける報知情報の受信品質を測定しなくてもよい。
【００６４】
本実施形態の第２の特徴は、移動局ＵＥ＃１であって、マクロセル＃Ａにおいて待ち受け中に、所定トリガを検出した場合、無線アクセスネットワーク装置１０に対して、所定情報を含むコネクション設定要求を送信することによって、無線アクセスネットワーク装置１０との間でコネクションを確立するように構成されているコネクション設定処理部１４と、無線アクセスネットワーク装置１０から受信した測定制御情報に含まれるホームセル＃ａ１における報知情報の受信品質を測定し、無線アクセスネットワーク装置１０に対して測定結果を通知するように構成されている測定部１５と、無線アクセスネットワーク装置１０から受信した待ち受けセル変更指示及びコネクション切断指示に応じて、コネクションが切断された際に、ホームセルにおける待ち受けを開始するように構成されている待ち受け処理部１３とを具備することを要旨とする。
【００６５】
本実施形態の第２の特徴において、コネクション設定処理部１４は、ユーザによる所定操作に応じて、所定情報を含むコネクション設定要求を送信するように構成されていてもよい。
【００６６】
本実施形態の第２の特徴において、コネクション設定処理部１４は、マクロセル＃Ａに対する位置登録処理を行う際に、所定情報を含むコネクション設定要求を送信するように構成されていてもよい。
【００６７】
本実施形態の第３の特徴は、無線アクセスネットワーク装置１０であって、移動局ＵＥ＃１から受信した所定情報を含むコネクション設定要求に応じて、移動局ＵＥ＃１との間でコネクションを確立するように構成されているコネクション設定処理部２１と、移動局ＵＥ＃１に対して、コネクションを介して、移動局ＵＥ＃１に対してアクセス権が付与されているホームセル＃ａ１を含む測定制御情報を送信するように構成されている測定制御部２２とを具備し、コネクション設定処理部２１は、移動局ＵＥ＃１から、ホームセル＃ａ１における報知情報の受信品質を含む測定結果を受信した場合に、移動局ＵＥ＃１に対して、コネクションを切断してホームセル＃ａ１における待ち受けを開始するように指示する待ち受けセル変更指示及びコネクション切断指示を送信するように構成されていることを要旨とする。
【００６８】
（本発明の第１の実施形態に係る移動通信システムの作用・効果）
本発明の第１の実施形態に係る移動通信システムによれば、マクロセル＃Ａ内に多数のホームセル＃ａ１、＃ａ２が存在している場合で、報知情報内の周辺セル情報に多数のホームセル＃ａ１、＃ａ２が含まれていない場合であっても、ホームセル＃ａ１における待ち受けを行うことができる。
【００６９】
すなわち、本発明の第１の実施形態に係る移動通信システムによれば、マクロセル＃Ａ内に多数のホームセル＃ａ１、＃ａ２が存在している場合に、マクロセル＃Ａによる影響が大きい場所での効果的なホームセル＃ａ１への誘導を実現できる。
【００７０】
また、本発明の第１の実施形態に係る移動通信システムによれば、既存手順を利用して軽微な機能追加により移動局ＵＥ＃１をホームセル＃ａ１へ誘導することができる。
【００７１】
（変更例）
上述の実施形態では、Ｗ-ＣＤＭＡ方式の移動通信システムを例に挙げて説明されているが、本発明は、かかる移動通信システムに限定されるものではなく、例えば、ＬＴＥ（Ｌｏｎｇ  Ｔｅｒｍ  Ｅｖｏｌｕｔｉｏｎ）方式の移動通信システムにも適用可能である。
【００７２】
かかる場合、上述の無線アクセスネットワーク装置１０の機能は、マクロセル用無線基地局＃Ａや、ホームセル用無線基地局＃ａ１、＃ａ２に搭載されることになる。
【００７３】
なお、上述の無線アクセスネットワーク装置１０やコアネットワーク装置２０や移動局ＵＥの動作は、ハードウェアによって実施されてもよいし、プロセッサによって実行されるソフトウェアモジュールによって実施されてもよいし、両者の組み合わせによって実施されてもよい。
【００７４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線アクセスネットワーク装置１０やコアネットワーク装置２０や移動局ＵＥ内に設けられていてもよい。また、かかる記憶媒体及びプロセッサは、ディスクリートコンポーネントとして無線アクセスネットワーク装置１０やコアネットワーク装置２０や移動局ＵＥ内に設けられていてもよい。
【００７６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００７７】
【図１】本発明の第１の実施形態に係る移動通信システムの全体構成図である。
【図２】本発明の第１の実施形態に係る移動局の機能ブロック図である。
【図３】本発明の第１の実施形態に係る無線アクセスネットワーク装置の機能ブロック図である。
【図４】本発明の第１の実施形態に係るコアネットワーク装置の機能ブロック図である。
【図５】本発明の第１の実施形態に係るコアネットワーク装置によって管理されているアクセス情報の一例を示す図である。
【図６】本発明の第１の実施形態に係る移動通信システムの動作を示すシーケンス図である。
【図７】本発明の第１の実施形態に係る移動通信システムの動作を示すシーケンス図である。
【符号の説明】
【００７８】
ＵＥ…移動局
１１…トリガ検出部
１２、３２…位置登録処理部
１３…待ち受け処理部
１４、２１…ＲＲＣコネクション設定処理部
１５…測定部
１０…無線アクセスネットワーク装置
２２…測定制御部
２０…コアネットワーク装置
３１…アクセス情報管理部
【図１】
2010028249.tif 000003
【図２】
2010028249.tif 000004
【図３】
2010028249.tif 000005
【図４】
2010028249.tif 000006
【図５】
2010028249.tif 000007
【図６】
2010028249.tif 000008
【図７】
2010028249.tif 000009